(57)【要約】【目的】テープ巻取用のバネに適宜の特殊鋼材を用いることでバネを小型化し、ケースの大きさをより自由に設定することができる巻尺を提供することを目的とする。【解決手段】巻尺１のケース２内に立設する軸２３に軸止された回転ドラム３に内装されている巻取バネ４に、焼き入れ硬度をＨＶ７００としたバネを用いる。これにより、巻取バネ４を小型にしても巻き取りに必要なトルクは確保されるので、回転ドラム３内の巻取バネ４の収容部３３スペースが縮小されそれに伴ない回転ドラム３も小さくなり、従って、ケース２も小さくすることができ、ケース２の大きさをより自由に設定することが可能となる。【選択図】  図１
2004279320.tif 000002
【特許請求の範囲】
【請求項１】
ケース内に立設する軸に、テープを周囲に巻回し且つそのテープを巻き込み方向に付勢する付勢手段が内装された回転ドラムを軸支する巻尺において、前記付勢手段に、高硬度の鋼材から成る帯状のバネを用いることを特徴とする巻尺
【請求項２】
前記鋼材の硬度がＨＶ６００以上であることを特徴とする請求項１の巻尺
【請求項３】
前記バネの幅がテープの幅より狭いことを特徴とする請求項１の巻尺
【請求項４】
前記バネが軸方向の一方に偏って設けられていることを特徴とする請求項４の巻尺
【請求項５】
前記バネの幅がテーパー状になっていることを特徴とする請求項１の巻尺
【発明の詳細な説明】
【０００１】
【産業上の利用分野】
本発明は、巻尺に関し、特にテープを自動的に巻き取る自動巻取式の巻尺に関するものである。
【０００２】
【従来技術と問題点】
従来、テープを自動的に巻き取る自動巻取式の巻尺は、巻尺の本体となるケースと、ケースの内壁に立設された軸に、テープを周囲に巻回し且つそのテープを巻き込み方向に付勢する付勢手段を内装した回転ドラムが回動自在に軸支されて成るものである。
その巻尺は、ケース内に収容する回転ドラムの大きさによってケースの大きさすなわち巻尺の大きさが決まり、また、重量にも関係してくるのである。
【０００３】
そして、回転ドラムは、その周囲に巻回されるテープの積層寸法より、回転ドラム内に有するテープ巻取用付勢手段となるバネの収容スペースの、軸を中心としてその収容スペースの最外縁までの遠心方向の距離寸法の方がはるかに長い。
それは、バネがゼンマイの如く動くので、その動きを阻害しないスペースを確保しなければならないからである。
【０００４】
そのバネは、適当な幅の帯状に形成され、それに焼き入れが行われてバネと成り、その焼き入れ硬度はＨＶ６００以下とされるのが常識であった。
そして、この硬度は、当業者の間においては巻尺の巻き取りバネに最適なものとして広く知られ且つ用いられており、従って、巻尺開発上の動かさざる技術的条件であることから、回転ドラムの大きさはバネよって決まりそして巻尺の大きさは回転ドラムによって決まるのである。ゆえに、巻尺の小型化は一定のレベルまでしかできないのである。
【０００５】
従って、同様の仕様（テープ長／テープ幅等）の巻尺を使用する場合、手の大きな作業者は、ケースを確実に保持できるので巻尺の使用に際し使い難さは感じず普通に使えるものとなっているのであるが、手が小さな作業者は、ケースの大きさが一定レベルまでしか小型にならないので、ケースの保持がし難く使い難さを感ずるものであった。
特に、高所での作業の場合は、ケース落下の危険もありその使い難さは非常に感ずるものであって、使用に際しての安全性は極めて低いものであった。
【０００６】
このことから、本出願人は、従来より何ら疑う余地もなく用いて来たバネに疑問を持ち、外部より提供されるバネによって当業者が製造する巻尺の大きさがほぼ決まってしまう矛盾、さらには、上述のような測定作業の安全性をも脅かしている現状を打破しようと鋭意検討努力した。
その結果、従来ではバネとして用いられることがない適宜の特殊鋼材を使用することで解決できることを見出した。
【０００７】
【目的】
本発明は上述した問題点に鑑みてなされたもので、テープ巻取用のバネに適宜の特殊鋼材を用いることでバネを小型化し、ケースの大きさをより自由に設定することができる巻尺を提供することを目的とするものである。
【０００８】
【問題を解決するための手段】
本発明の要旨とするところは、ケース内に立設する軸に、テープを周囲に巻回し且つそのテープを巻き込み方向に付勢する付勢手段が内装された回転ドラムを軸支する巻尺において、前記付勢手段に、高硬度の鋼材から成る帯状のバネを用いることを特徴とする巻尺である。
【０００９】
本発明を更に詳しく説明すると、本発明が適用される巻尺とは、所望の形状に適宜形成された樹脂または／および金属の素材のケースを有する自動巻取式の巻尺である。自動巻取式の巻尺は、ケース内に立設された軸に回転ドラムが軸支され、その回転ドラムの内部にテープを巻取付勢するためのコイル状のバネが設けられており、テープの引き出しと共にその巻取バネに巻取力が蓄積され、テープの巻き取りに際しては、そのテープを離すことによりバネの力でケース内に巻き取らせるようにしたものである。
【００１０】
そのバネは、回転ドラム内のバネの収容スペースに設けられ、その一端は回転ドラムと係着されると共にテープに連結され、また、他端はケース内に立設された軸に係着されている。そして、テープを引き出すことによってバネは軸に巻き付けられていき、それによって巻取力が蓄積される。また、テープを巻き取る際はその巻き付けられたバネが復帰すなわち軸を中心に遠心方向に広がることによって回転ドラムを回転させ、その周囲にテープを巻き付けていく。
【００１１】
テープは、ケースの前壁下方のテープ出入口から出入し、テープ先端に有する係止フックによってテープのケース内への引き込まれが防止される。
そして、巻尺によってはテープの巻き取りの際にテープ先端の係止フックの衝撃を緩和するための緩衝部材がテープ出入口に臨んで設けられていたり、また、引き出したテープを一時止めておくロック機構部の制動片やその制動片の操作レバーが設けられているものもある。また、巻尺を携帯するためのストラップやベルトフック等の携帯用の部材が設けられているものもある。
【００１２】
このような構造からなる巻尺のテープ巻取用のバネに適宜の特殊鋼材を用いて成るものである。
特殊鋼材とは焼入れの硬度を高くした鋼材を指し、その硬度においてはＨＶ６００以上の範囲内になるように焼き入れを行うのがよい。
【００１３】
また、バネの幅も特に限定するものではなくテープの幅とほぼ同じ幅であってもよいが、テープの幅より適宜に狭くしてもよい。
バネの幅をテープの幅より狭くした場合、バネを回転ドラムへ内装する形態においては、ケース内壁に立設された回転ドラムを軸支する軸の軸方向の一方に偏らせて設けるようにしてもよい。その際、回転ドラムに形成されるバネの収容スペースもバネの幅に合わせて縮小してもよい。
【００１４】
また、バネの厚さもテープ長やテープ幅などを考慮して選定すればよく特に限定するものではないが、その具体的な関係の一例としては、テープ幅が１９ｍｍ／テープ長が５．５ｍの場合ではバネの厚さを０．１ｍｍ程度がよい。
さらに、バネの帯形状においても全域をほぼ同一の幅としてもよいが、テープとの連結部方向から軸との係着部方向に向け先太のテーパー状にしてもよい。
【００１５】
そして、回転ドラム内のバネの収容スペースは、バネの巻取性能に合わせて適宜にそのスペースを確保すればよい。すなわち、バネはゼンマイの如く動くことからその動きを阻害しないスペースであればよい。
【００１６】
【作用】
本発明の巻尺は以上のように、テープ巻取用のバネに高硬度の鋼材から成るバネを用いているので、テープの引き出しによりバネに巻取力が蓄積された時の復帰力すなわちトルクが強まり、小型のバネでも巻き取りに必要なトルクが確保される。
これにより、巻取バネを小型にしても巻き取りに必要なトルクは確保されるので、回転ドラム内の巻取バネの収容部スペースが縮小され、それに伴ないケースを小さくすることもでき、従って、ケースの大きさをより自由に設定することが可能となる。
【００１７】
【実施例】
本発明の巻尺を以下図面に従って説明すると、図１は、本発明に係わる巻尺のケース内部の側面図であり、１は巻尺、２はケース、２１はテープが出入するテープ出入口、２２はケース２の内壁、２３は内壁２２に立設する軸である。
３は回転ドラム、３１はテープ５が巻回される巻胴部、３３は巻取用バネの収容スペースとなるバネ収容部、４は巻取バネで、このバネが高硬度の鋼材から形成される。５はテープ、５１は係止片である。
【００１８】
一例として、テープ幅を１９ｍｍ／テープ長を５．５ｍとして、ＨＶ６６０の鋼材から形成した時とＨＶ５８０の鋼材から形成した時を数値的に比較すると、
ＨＶ５８０：０．１２×１６×４０００
ＨＶ６６０：０．１０×１６×４０００
となり、バネ厚が０．１２−０．１０＝０．０２薄くなり、これが軸に巻回されることによってその差は大きくなる。そして、回転ドラムは縮小できる。
【００１９】
図２および図３は、バネの収容状態を示す回転ドラムの断面図であり、図２は巻取バネ４を回転ドラム３のバネ収容部３３の中央に配置したものである。
また、図３は巻取バネ４を回転ドラム３のバネ収容部３３の一方に偏らせて配置したものである。
２はケース、２３は軸、３は回転ドラム、３１は巻胴部、３２は巻胴部３１の両縁に立設するテープ５の外れを防止するガイド、３３はバネ収容部、４は巻取バネである。
【００２０】
図４および図５は、バネの平面図であり、図４は巻取バネ４のバネ機能部を同一の幅で形成したものである。
また、図５は巻取バネ４のバネ機能部をテーパー状（テーパー部４４）としたものである。
【００２１】
図６は、巻取力が蓄積された状態のバネの側面図であり、本図はテープ５を全て引き出した状態を示すもので、巻取バネ４は軸２３の周囲に巻き付けられることによって巻取力が蓄積する。すなわち、テープ５の引き出しによって巻取バネ４に巻取力が蓄積した状態である。
【００２２】
図７は、通常状態のバネの側面図であり、テープ５の巻き取りによって巻取バネ４が軸２３の周囲から広がった状態を示すもので、巻取力がある程度開放された状態である。
【００２３】
【効果】
本発明の巻尺は以上のように、テープ巻取用のバネに高硬度の鋼材から成るバネを用いていることから巻取バネを小型することができる。
これにより、回転ドラム内の巻取バネの収容部スペースの縮小と共に、巻尺のケースを小さくすることができるので、ケースの大きさをより自由に設定することが可能となって、手の大きな作業者に合わせたケースは勿論のこと、手の小さな作業者に合わせることもできるので、作業者の立場に立ったよりエルゴノミックな巻尺となる。
また、高所での作業の場合も、手の大きな作業者／手の小さな作業者を問わず同じ仕様の巻尺を安全に使用することができる。
【図面の簡単な説明】
【図１】本発明に係わる巻尺のケース内部の側面図
【図２】バネの収容状態を示す回転ドラムの断面図
【図３】バネの収容状態を示す回転ドラムの断面図
【図４】バネの平面図
【図５】バネの平面図
【図６】巻取力が蓄積された状態のバネの側面図
【図７】通常状態のバネの側面図
【符号の説明】
１−巻尺，２−ケース，２１−テープ出入口，２２−内壁，２３−軸，３−回転ドラム，３１−巻胴部，３２−ガイド，３３−バネ収容部，４−巻取バネ，４１−テープ連結部，４２−巻胴係着部，４３−軸係着部，４４−テーパー部，５−テープ，５１−係止片
【図１】
2004279320.tif 000003
【図２】
2004279320.tif 000004
【図３】
2004279320.tif 000005
【図４】
2004279320.tif 000006
【図５】
2004279320.tif 000007
【図６】
2004279320.tif 000008
【図７】
2004279320.tif 000009